(57)【要約】【課題】  任意の表示装置上に任意の時刻に情報を表示することができ、複数のノードで情報を共有保持することにより、災害時やあるノードの障害時でも他のノードに影響することなく情報を表示することができる情報表示システムを提供する。【解決手段】  本発明の情報表示システムは、表示する情報を保持し制御するノード２０（２０−１〜ｎ），３０（３０−１〜ｍ）と、ノード２０（２０−１〜ｎ）に接続され、情報を表示する表示装置１０（１０−１〜ｎ）と、各ノード２０（２０−１〜ｎ），３０（３０−１〜ｍ）を接続する通信媒体４０と、を備えている。【選択図】  図１【特許請求の範囲】
【請求項１】
情報を表示する情報表示システムであって、
情報を制御する複数のノードと、
前記複数のノードのうち、任意のノードに接続され、情報を表示する表示装置と、
前記複数のノードを通信可能に接続する通信媒体と、
を備え、
前記ノードのそれぞれは、
前記通信媒体を介して他のノードと情報の通信を行うための通信制御手段と、
前記表示装置に表示する情報を記憶するデータベース（ＤＢ）と、
を有し、
前記表示装置が接続されたノードのそれぞれは、前記表示装置に情報を表示するための表示制御手段を備える、
ことを特徴とする情報表示システム。
【請求項２】
前記ノードは、Ｐｅｅｒ  ｔｏ  Ｐｅｅｒ（Ｐ２Ｐ）で情報の通信を行う、ことを特徴とする請求項１記載の情報表示システム。
【請求項３】
前記ＤＢは、
情報を表示する時間を示すタイムテーブルと、
情報を表示するノードを特定するＩＤおよび／またはＩＰアドレスからなる表示ノード情報と、
表示する情報と、
情報を前記表示装置のどの部分に表示するかを指定する表示位置情報と、
接続されるノードのリストを示すノードメンバリストと、
情報を保存する期間を指定する情報保存期間と、
自己ノードを特定するＩＤおよび／またはＩＰアドレスからなる自己ノード情報と、
自己および他のノードの情報の配信履歴と、
を有する、
ことを特徴とする請求項２記載の情報表示システム。
【請求項４】
前記通信制御手段は、ノード間の通信の同期をとる、ことを特徴とする請求項１から３何れか記載の情報表示システム。
【請求項５】
前記ノードは、表示する情報と共にその情報の表示時期、表示ノード、情報のアップロード方式を、前記ＤＢに登録する配信情報登録手段を備える、ことを特徴とする請求項１から４何れか記載の情報表示システム。
【請求項６】
前記ノードは、保存期限に基づいて前記ＤＢに登録されている情報を削除する情報整理手段を備える、ことを特徴とする請求項１から５何れか記載の情報表示システム。
【請求項７】
前記ノードは、情報の配信履歴を管理する配信履歴管理手段と、顧客毎の請求書を管理する請求書管理手段、顧客毎の売上げ記録を管理する売上管理手段、与信を管理する与信管理手段および新たなノードの接続を認証する認証手段を有する管理手段を備える、ことを特徴とする請求項１から６何れか記載の情報表示システム。
【請求項８】
前記ノードは、接続されている他のノードとの間で時刻の同期を行う時刻同期手段を備える、ことを特徴とする請求項１から７何れか記載の情報表示システム。
【請求項９】
前記表示装置は、複数の表示媒体で構成される、ことを特徴とする請求項１から８何れか記載の情報表示システム。
【請求項１０】
前記ノードは、コミュニケーションツールとしてメッセンジャ機能、電子メール機能および／または掲示板機能を有するコミュニケーション手段を備え、緊急時には、前記表示装置の接続されていないノードの情報を任意のノードに接続されている前記表示装置に表示させることができる、ことを特徴とする請求項１から９何れか記載の情報表示システム。
【発明の詳細な説明】
【技術分野】
【０００１】
本発明は、複数の箇所で同時に情報を表示する情報表示システムに関する。特には、広告や災害情報などを複数の任意の箇所で同時に表示することができる情報表示システムに関する。
【背景技術】
【０００２】
近年、広域に多数設置された電子看板装置を一括管理して、各広告主の広告情報や緊急通報等の表示データを電子看板上にリアルタイムに且つ一斉に表示することができる広域電子広告機能を有する電子看板システムがいくつか考案されてきた。【０００３】
例えば、特開２００２−４０９７４公報では、広域に多数設置された電子看板装置を一括管理して、各広告主の広告情報や緊急通報等の表示データを電子看板上にリアルタイムに且つ一斉に表示することができる広域電子広告機能を有する電子看板システムが記載されている。
【特許文献１】特開２００２−４０９７４公報
【発明の開示】
【発明が解決しようとする課題】
【０００４】
しかしながら、表示データは、電子看板管理コンピュータの有するＤＢに記憶されているため、この電子看板管理コンピュータやＤＢに障害が生じた場合、全ての電子看板装置にデータを表示することができない。【０００５】
さらに、電子看板管理コンピュータが地震などの災害場所に設置されている場合、緊急通報等の表示データを配信できない。【０００６】
従って、本発明の目的は、任意の表示装置上に任意の時刻に情報を表示することができ、複数のノードで情報を共有保持することにより、災害時やあるノードの障害時でも他のノードに影響することなく情報を表示することができる情報表示システムを提供することである。
【課題を解決するための手段】
【０００７】
上記課題を解決するため、本発明の情報表示システムは、情報を表示する情報表示システムであって、情報を制御する複数のノードと、複数のノードのうち、任意のノードに接続され、情報を表示する表示装置と、複数のノードを通信可能に接続する通信媒体と、を備え、ノードのそれぞれは、通信媒体を介して他のノードと情報の通信を行うための通信制御手段と、表示装置に表示する情報を記憶するデータベース（ＤＢ）と、を有し、表示装置が接続されたノードのそれぞれは、表示装置に情報を表示するための表示制御手段を備える、ことを特徴とする。【０００８】
また、ノードは、Ｐｅｅｒ  ｔｏ  Ｐｅｅｒ（Ｐ２Ｐ）で情報の通信を行う、ことができる。【０００９】
また、ＤＢは、情報を表示する時間を示すタイムテーブルと、情報を表示するノードを特定するＩＤおよび／またはＩＰアドレスからなる表示ノード情報と、表示する情報と、情報を表示装置のどの部分に表示するかを指定する表示位置情報と、接続されるノードのリストを示すノードメンバリストと、情報を保存する期間を指定する情報保存期間と、自己ノードを特定するＩＤおよび／またはＩＰアドレスからなる自己ノード情報と、自己および他のノードの情報の配信履歴と、を有する、ことができる。【００１０】
また、通信制御手段は、ノード間の通信の同期をとる、ことができる。【００１１】
また、ノードは、表示する情報と共にその情報の表示時期、表示ノード、情報のアップロード方式を、前記ＤＢに登録する配信情報登録手段を備える、ことができる。【００１２】
また、ノードは、保存期限に基づいてＤＢに登録されている情報を削除する情報整理手段を備える、ことができる。【００１３】
また、ノードは、情報の配信履歴を管理する配信履歴管理手段と、顧客毎の請求書を管理する請求書管理手段、顧客毎の売上げ記録を管理する売上管理手段、与信を管理する与信管理手段および新たなノードの接続を認証する認証手段を有する管理手段を備える、ことができる。【００１４】
また、ノードは、接続されている他のノードとの間で時刻の同期を行う時刻同期手段を備える、ことができる。【００１５】
また、表示装置は、複数の表示媒体で構成される、ことができる。【００１６】
また、ノードは、コミュニケーションツールとしてメッセンジャ機能、電子メール機能および／または掲示板機能を有するコミュニケーション手段を備え、緊急時には、表示装置の接続されていないノードの情報を任意のノードに接続されている表示装置に表示させることができる。
【発明の効果】
【００１７】
本発明の情報表示システムによれば、任意の表示装置上に任意の時刻に情報を表示することができ、複数のノードで情報を共有保持することにより、災害時やあるノードの障害時でも他のノードに影響することなく情報を表示することができる。
【発明を実施するための最良の形態】
【００１８】
以下、図面を参照して本発明の情報表示システムの実施の形態を説明する。以下において、本発明の情報表示システムで表示される情報は一般的な広告を具体的な一例として説明する。なお、表示情報は、広告に限るものではなく、災害情報などでもよい。【００１９】
図１は、本発明の情報表示システムを示す図である。図１において、本発明の情報表示システムは、表示する情報を保持し制御するノード２０（２０−１〜ｎ），３０（３０−１〜ｍ）と、ノード２０（２０−１〜ｎ）に接続され、情報を表示する表示装置１０（１０−１〜ｎ）と、各ノード２０（２０−１〜ｎ），３０（３０−１〜ｍ）を接続する通信媒体４０と、を備えている。【００２０】
図２は、本発明の情報表示システムを示す図である。図２に示すように、本発明においては、各ノード（２０−１〜ｎ），３０（３０−１〜ｍ）のうち任意のノード（図２では、ノード２０−１，２０−２，２０−３，３０−１，３０−２）がＰｅｅｒ  ｔｏ  Ｐｅｅｒ（以下、「Ｐ２Ｐ」ともいう）で接続することができる。また、Ｐ２Ｐで接続されている各ノード（図２ではノード３０−１）にはＬＡＮなどのネットワーク（図２ではＬＡＮ５０）で表示装置（図２では表示装置１０−４）が接続されているノード（図２ではノード２０−４）を接続することができる。【００２１】
図３は、表示装置を接続するノードを示す図である。このノード２０（２０−１〜ｎ）は、通信媒体を介して他のノードと情報の通信を行うための通信制御部２１と、表示装置１０に表示する情報を記憶するデータベース（ＤＢ）２７と、表示装置１０（１０−１〜ｎ）に情報を表示するための表示制御部２２と、表示する情報と共にその情報の表示時期、表示ノード、情報のアップロード方式を、ＤＢ２７に登録する配信情報登録部２３と、保存期限に基づいてＤＢ２７に登録されている情報を削除する情報整理部２４と、各種の管理を行う管理部２５と、通信可能に接続されている他のノードとの間で時刻の同期を行う時刻同期部２６と、コミュニケーションツールとしてメッセンジャ機能、電子メール機能および／または掲示板機能を有するコミュニケーション部２８と、を備えている。【００２２】
ここで、管理部２５は、顧客毎の請求書を管理する請求書管理部２５−１と、顧客毎の売上げ記録を管理する売上管理部２５−２と、与信を管理する与信管理部２５−３と、新たなノードの接続を認証する認証部２５−４と、情報の配信履歴を管理する配信履歴管理部２５−５と、を有する。【００２３】
図４は、表示装置を接続しないノードを示す図である。このノード３０（３０−１〜ｎ）は、通信媒体を介して他のノードと情報の通信を行うための通信制御部３１と、他の任意のノード２０（２０−１〜ｎ）に接続された表示装置１０（１０−１〜ｎ）に表示する情報を記憶するデータベース（ＤＢ）２７と、表示する情報と共にその情報の表示時期、表示ノード、情報のアップロード方式を、ＤＢ３７に登録する配信情報登録部３３と、保存期限に基づいてＤＢ３７に登録されている情報を削除する情報整理部３４と、各種の管理を行う管理部３５と、通信可能に接続されている他のノードとの間で時刻の同期を行う時刻同期部３６と、コミュニケーションツールとしてメッセンジャ機能、電子メール機能および／または掲示板機能を有するコミュニケーション部２８と、を備えている。【００２４】
ここで、管理部３５は、顧客毎の請求書を管理する請求書管理部３５−１と、顧客毎の売上げ記録を管理する売上管理部３５−２と、与信を管理する与信管理部３５−３と、新たなノードの接続を認証する認証部３５−４と、情報の配信履歴を管理する配信履歴管理部３５−５と、を有する。【００２５】
上述において、ＤＢ２７，３７は、自己および他のノードの情報を表示する時間を示すタイムテーブルと、情報を表示するノードを特定するＩＤおよび／またはＩＰアドレスからなる表示ノード情報と、表示する情報と、情報を表示装置のどの部分に表示するかを指定する表示位置情報と、接続されるノードのリストを示すノードメンバリストと、情報を保存する期間を指定する情報保存期間と、自己ノードを特定するＩＤおよび／またはＩＰアドレスからなる自己ノード情報と、自己および他のノードの情報の配信履歴と、を有する。【００２６】
また、通信制御部２１，３１は、接続され、通信可能なノード間の通信の同期をとることができる。この同期によって、それぞれのＤＢ２７，３７の内容の同期が取られ、配信履歴管理部２５−５，３５−５は、他のノードの配信履歴をＤＢ２７，３７から参照することができる。【００２７】
また、表示装置１０（１０−１〜ｎ）は、ＬＥＤ、有機ＥＬ、無機ＥＬ、液晶、プラズマ、またはＣＲＴで構成でき、複数の表示媒体で構成することができる。【００２８】
以下、各構成について詳細に説明する。表示装置１０（１０−１〜ｎ）は、ＬＥＤ、有機ＥＬ、無機ＥＬ、液晶、プラズマ、ＣＲＴなど電子データを表示できる全ての装置であり、１台以上のモニタで構成することができる。例えば、複数のプラズマディスプレイを接続したり、電車の中に中吊り広告として複数のモニタに分割したりすることができる。なお、モニタは大型、小型を問わない。 【００２９】
各ノード２０，３０においては、通信制御部２１で情報配信プログラムが稼動しており、すべてのノード２０，３０は、情報配信Ｐ２Ｐバーチャルネットワーク（図２）に接続することができる。各ノード２０，３０はパソコン、携帯端末など状況に応じて様々な形態とすることができる。 【００３０】
各ノード２０，３０で稼動するソフトウェアは、以下の機能を持ち、ソフトウェアレベルで機能を制限することができる。また、ある所定のノードは情報の保存期間を長くしてバックアップ用ノードとして位置づけることができる。また表示装置をもたないノード３０は、いわゆる管理用端末として利用することができる。また、利用形態として、ノード２０，３０は、コミュニケーションツールとしてメッセンジャ機能、電子メール機能および／または掲示板機能を有するコミュニケーション部２８，３８を備え、緊急時には、表示装置１０の接続されていないノード３０の情報を任意のノード２０に接続されている表示装置１０に表示させることができる。なお、図２に示したＰ２Ｐバーチャルネットワーク内では、指定されたノード２０−１〜４，３０−１〜２以外からの通信は一切受け付けない。 【００３１】
表示制御部２２は、自ノードに設定されたタイムテーブル（ＤＢ２７に登録）に沿った情報の表示を行う。また、時間帯に応じて表示装置１０の照度を自動的に変更して表示する。【００３２】
ＤＢ２７，３７は、Ｐ２Ｐバーチャルネットワーク内の情報や自己情報の保管を行う。具体的には、タイムテーブルと、情報を表示するノードを特定する情報（ＩＤ、ＩＰアドレスなど）と、情報の内容（静止画（静止画のアニメーションの場合は、動き情報（時間・拡大・縮小・回転など））、動画、テキスト（テキストの場合は文字・色・サイズ・モニタ上の表示位置・動作など））と、モニタのどこに表示するかを示す情報表示位置情報と、接続可能なノードのメンバーリスト（初期セットアップ時には初期ノードが指定される。また、メンバーリストの数は１台以上として台数を制限することもできる）と、情報保存期間（時間を無制限にしてバックアップ専用ノードとして使用することができる）と、自己情報（自己ノードＩＤ、ＩＰアドレスなど）と、情報の配信履歴（自己および他のノードの情報の配信履歴）と、を記憶する。 【００３３】
配信情報登録部２３，３３は、配信情報登録機能を有し、「いつ、どこで、なにを」の情報をＤＢ２７，３７に登録できる。また、配信情報を登録する際に、その情報のアップロードを以下の２方式から選択することができる。 
（１）Ｐ２Ｐアップロード：相互送受信機能によりネットワークに随時更新する。
（２）ダイレクトアップロード ：指定広告ノード（１台もしくは複数）に対して直接データアップロードする。緊急時などに使用する。 【００３４】
情報整理部２４，３４は、情報整理機能を有し、ＤＢ２７，３７に登録されている情報保存期間の設定により、定期的に過去の情報を削除する。【００３５】
管理部２５，３５は、管理機能を有し、表示する情報以外のスポンサ情報や請求に関する情報を管理する。また、顧客マスタなどを管理し、請求書管理機能（請求書管理部２５−１，３５−１）、売上管理機能（売上管理部２５−２，３５−２）、与信管理機能（与信管理部２５−３，３５−３）などを備える。また、冗長性、安定性を考慮して複数台のノードで構成することができる。また、各ノードが既存のＰ２Ｐバーチャルネットワークに初回に接続する際に認証を行う認証機能（認証部２５−４，３５−４）を備える。さらに、情報の配信履歴を管理する配信履歴管理機能（配信履歴管理部２５−５，３５−５）を備える。【００３６】
また、時刻同期部２６，３６は、時刻同期機能を有し、接続され通信可能な全てのノード間で時刻の同期をとる。時刻の同期をとることにより、表示装置１０（１０−１〜ｎ）に表示される画像の切替のタイミングの同期をとることもできるし、表示装置（１０−１）から（１０−ｎ）の複数の画面を連動させて一つの画像を表示させることもできる。【００３７】
通信制御部２１，３１は、他ノード間同期機能を有し、Ｐ２Ｐネットワークの仕様に基づき、定期的または所定のタイミングでＤＢ２７，３７の情報の送受信を行って同期をとる。ここで、情報を登録した際に、必要なノードへ情報の受信要求をだすようにすると無駄なトラフィックを軽減することができる。また、コミュニケーション機能を有し、各ノード間でＰ２Ｐネットワークを通じたコミュニケーションツール（メッセンジャや電子メール、掲示板など）を利用することができる。また、携帯端末のＧＰＳ機能と連動し、位置情報の交換もできる。【００３８】
通信媒体４０は、インターネット、一般公衆網、その他あらゆる通信手段とすることができる。ここで、セキュリティを確保するためＶＰＮなどのセキュリティ通信を行うことができる。【００３９】
図２に示したＰ２Ｐバーチャルネットワークは、上記機能（プログラム）が稼動しているノードが接続されるバーチャルネットワークとして構築できる。ここで、設定によりサブグループを形成することができる。なお、その際のサブグループは災害時を想定し物理的に離れているノードで形成するようにするとよい。
【図面の簡単な説明】
【００４０】
【図１】本発明の情報表示システムを示す図である。
【図２】本発明の情報表示システムを示す図である。
【図３】表示装置を接続するノードを示す図である。
【図４】表示装置を接続しないノードを示す図である。
【符号の説明】
【００４１】
１０（１０−１〜ｎ）  表示装置
２０（２０−１〜ｎ），３０（３０−１〜ｍ）  ノード
２１，３１  通信制御部
２２  表示制御部
２３，３３  配信情報登録部
２４，３４  情報整理部
２５，３５  管理部
２５−１，３５−１  請求書管理部
２５−２，３５−２  売上管理部
２５−３，３５−３  与信管理部
２５−４，３５−４  認証部
２５−５，３５−５  配信履歴管理部
２６，３６  時刻同期部
２７，３７  ＤＢ
２８，３８  コミュニケーション部
４０  通信媒体
【図１】
2006118128.tif 000002
【図２】
2006118128.tif 000003
【図３】
2006118128.tif 000004
【図４】
2006118128.tif 000005
【手続補正書】
【提出日】平成19年11月14日(2007.11.14)
【手続補正１】
【補正対象書類名】特許請求の範囲
【補正対象項目名】全文
【補正方法】変更
【補正の内容】
【特許請求の範囲】
【請求項１】
情報を表示する情報表示システムであって、
情報を制御する複数のノードと、
前記複数のノードのうち、任意のノードに接続され、情報を表示する表示装置と、
前記複数のノードを通信可能に接続するネットワークと、
を備え、
前記ノードのそれぞれは、
前記ネットワークを介して他のノードと情報の通信を行い、ノード間の通信の同期をとる通信制御手段と、
前記表示装置に表示する情報と、自己および他のノードの情報を表示する時間を示すタイムテーブルを記憶するデータベース（ＤＢ）と、
接続され通信可能な全てのノード間で時刻の同期を行う時刻同期手段と、
を有し、
前記表示装置が接続されたノードのそれぞれは、前記表示装置に自ノードに設定されたタイムテーブルに沿った情報を表示するための表示制御手段を備える、
ことを特徴とする情報表示システム。
【請求項２】
前記ノードは、Ｐｅｅｒ  ｔｏ  Ｐｅｅｒ（Ｐ２Ｐ）で情報の通信を行う、ことを特徴とする請求項１記載の情報表示システム。
【請求項３】
前記ＤＢは、更に、
情報を表示するノードを特定するＩＤおよび／またはＩＰアドレスからなる表示ノード情報と、
情報を前記表示装置のどの部分に表示するかを指示する表示位置情報と、
接続されるノードのリストを示すノードメンバリストと、
情報を保存する期間を指定する情報保存期間と、
自己ノードを特定するＩＤおよび／またはＩＰアドレスからなる自己ノード情報と、
自己および他のノードの情報の配信履歴と、
を有する、
ことを特徴とする請求項２記載の情報表示システム。
【請求項４】
前記ノードは、表示する情報と共にその情報の表示時期、表示ノード、相互送受信機能によりネットワークに随時更新するＰ２Ｐアップロード方式と指定広告ノード（１台もしくは複数）に対して直接データアップロードするダイレクトアップロード方式の２方式から選択した情報のアップロード方式を、前記ＤＢに登録する配信情報登録手段を備える、ことを特徴とする請求項１から３何れか記載の情報表示システム。
【請求項５】
前記ノードは、保存期限に基づいて前記ＤＢに登録されている情報を削除する情報整理手段を備える、ことを特徴とする請求項１から４何れか記載の情報表示システム。
【請求項６】
前記ノードは、情報の配信履歴を管理する配信履歴管理手段と、新たなノードの接続を認証する認証手段を有する管理手段を備える、ことを特徴とする請求項１から５何れか記載の情報表示システム。
【請求項７】
前記表示装置は、複数の表示媒体で構成される、ことを特徴とする請求項１から６何れか記載の情報表示システム。
【国際調査報告】
2006118128.tif 000006
2006118128.tif 000007
2006118128.tif 000008
2006118128.tif 000009